(57)【要約】【課題】自動再接続処理における発信規制において、着呼先の状態を網側からのメッセージ内容（着信状態報告）から判断し、無駄な発信を行わず適切な接続を可能とした、回線自動再接続を行うサーバシステム装置を提供すること。【解決手段】サーバ７をサーバ通信端末６によって公衆回線網５に接続し、通信により相手側となる携帯電話機１に情報サービスを行うサーバシステム装置において、携帯電話機１と公衆回線網５の側との間の無線状態通信の内容を取得するために、不完了呼を発生させずに取得した無線状態情報から相手側の携帯電話機１の状況を確認して、回線状態が良好な場合には接続させるようにし、回線状態が悪い場合には不完了呼を発生させずに回線を切断し、状況改善後に再接続した。【選択図】        図１
2004266666.tif 000002
【特許請求の範囲】
【請求項１】
コンピュータを回線接続手段によって公衆回線網に接続し、通信により相手側となる移動無線機にサービスを行うサーバシステム装置において、
前記移動無線機と公衆回線網の局との間の無線状態通信の内容を取得する状態取得手段を設け、不完了呼を発生させずに取得した無線状態情報から相手側の移動無線機の状況を確認して、相手側が着信可能な場合には接続させるようにし、相手側が着信不可能な場合には不完了呼を発生させずに回線を切断して状況改善後に再接続することを特徴とする回線自動再接続を行うサーバシステム装置。
【請求項２】
請求項１に記載された回線自動再接続を行うサーバシステム装置において、
状態取得手段が、コンピュータが回線接続手段により移動無線機にオフフックによる発呼を行い、同発呼により行われる移動無線機から公衆回線網の局への無線状態報告の内容を前記コンピュータで取得し、公衆回線網の局から移動無線機への呼出が発生する前に回線切断処理を行うものであり、
回線状態が悪い場合には、呼設定信号が相手側に送られないように回線切断信号を送るようにし、回線状態が良好な場合には、回線に接続して呼設定信号が相手側に送られるように回線切断信号を送らないようにしたことを特徴とする回線自動再接続を行うサーバシステム装置。
【請求項３】
請求項１または請求項２に記載された回線自動再接続を行うサーバシステム装置において、
移動無線機が車載機に接続又は内蔵されるものであり、コンピュータが車両への通信を使用してサービスを行うテレマティクスシステムを構成するものであることを特徴とする回線自動再接続を行うサーバシステム装置。
【発明の詳細な説明】
【０００１】
【発明の属する技術分野】
本発明は、携帯電話機に代表される無線通信機との接続に際し、携帯電話機と交換機との網側メッセージ内容を把握する事で、ＪＡＴＥ条文１８条で規定されている２回／３分以内という自動再接続の発信規制を回避し、ユーザーへの情報サービス提供に対する時間的な違和感を低減する事を目的とした、回線自動再接続を行うサーバシステム装置の技術分野に属する。
【０００２】
【従来の技術】
従来においては、移動電話端末の自動再接続に関して、昭和６０年郵政省令第３１号、端末設備等規則（公布：昭和６０年４月１日、施行：昭和６０年４月１日、最新改正：平成１１年１０月２７日）の第４章電話用設備に接続される端末設備、第２節移動電話端末第１８条で制定されている、２回／３分以内という発信規制（非特許文献１参照。）を遵守したシステムになっていた。
【０００３】
この規制を回避する方法として、規制回数を発呼すると同時に電源断にし、すぐに電源入にして別発呼とみなす事で発信規制を回避する手法はよく知られていた。
【０００４】
また、従来技術として、アナログ回線網における信号極性反転を利用した通信状態把握の技術（例えば特許文献１参照。）やＩＳＤＮ回線を利用した通信状態把握の技術（例えば特許文献２参照。）がある。
【０００５】
【特許文献１】
特開平１０−１１７２３５号公報（第３−６頁、第２図）
【０００６】
【特許文献２】
特開２００１−２８５５２１号公報（第４−７頁、第２図）
【０００７】
【非特許文献１】
”端末設備等規則”、［ｏｎｌｉｎｅ］、財団法人  電気通信端末機器審査協会、［平成１５年１月１４日検索］、インターネット＜ＵＲＬ：ｈｔｔｐ：／／ｗｗｗ．ｊａｔｅ．ｏｒ．ｊｐ／ｊｐ／ｓｈｏｕｓａｉ／ｐｄｆ／ｔａｎｍａｔｕｋｉｓｏｋｕ．ｐｄｆ＞（１５頁）
【０００８】
【発明が解決しようとする課題】
しかし従来の回線自動再接続を行うサーバシステム装置にあっては、情報提供サービスを利用するユーザーの時間的違和感を払拭する事が出来ない状態にあり、リアルタイム性を重視するテレマティクス分野において問題となっていた。
【０００９】
本発明の目的は、上記問題点に着目してなされたもので、その目的とするところは、従来の問題点である自動再接続処理における発信規制において、着呼先の状態を網側からのメッセージ内容（着信状態報告）から判断し、無駄な発信を行わず適切な接続を可能とした、回線自動再接続を行うサーバシステム装置を提供することにある。
【００１０】
【課題を解決するための手段】
上記目的を達成するため、請求項１記載の発明では、コンピュータを回線接続手段によって公衆回線網に接続し、通信により相手側となる移動無線機にサービスを行うサーバシステム装置において、移動無線機と公衆回線網の局との間の無線状態通信の内容を取得する状態取得手段を設け、不完了呼を発生させずに取得した無線状態情報から相手側の移動無線機の状況を確認して、相手側が着信可能な場合には接続させるようにし、相手側が着信不可能な場合には不完了呼を発生させずに状況改善後に再接続することを特徴とする手段とした。
本発明における「公衆回線網の局」とは、携帯電話機に代表される移動無線機との送受信により無線チャネルを確立させるもので、主に交換局、または制御局を指すが、ネットワークシステムによっては、基地局を指す場合もある。
「相手側が着信不可能な場合」とは、途中に介する回線のビジー状態、無応答、輻輳、圏外等の正規通信を妨げる状態を指すもののほか、相手側の移動無線機の正規通信を妨げる状態も含まれるものとする。
【００１１】
請求項２記載の発明では、状態取得手段が、コンピュータが回線接続手段により移動無線機にオフフックによる発呼を行い、発呼により行われる移動無線機から公衆回線網の局への無線状態報告の内容をコンピュータで取得し、公衆回線網の局から移動無線機への呼出が発生する前に回線切断処理を行うものであり、回線状態が悪い場合には、呼設定信号が相手側に送られないように回線切断信号を送るようにし、回線状態が良好な場合には、回線に接続して呼設定信号が相手側に送られるように回線切断信号を送らないようにしたことを特徴とする手段とした。
【００１２】
請求項３記載の発明では、移動無線機が車載機に接続又は内蔵されるものであり、コンピュータが車両への通信を使用してサービスを行うテレマティクスシステムを構成するものであることを特徴とする手段とした。
【００１３】
【発明の作用と効果】
請求項１記載の発明では、状態取得手段が移動無線機と公衆回線網の局との間で回線の接続が可能かどうかを確認するために行われる無線状態通信の内容を取得する。次に、この情報から回線状態を判断して、この情報が回線状態良好であることを示す際には、回線への接続を行って、移動無線機との通信を確立させる。また、回線状態が悪い際には、不完了呼を発生させないように回線を一旦切断して輻輳を防止し、状態取得手段による確認をその後に行って、回線状態が改善されてから、移動無線機との通信を確立させる。
従って、サーバシステム装置が携帯端末の無線状態報告を判断し、回線状態良にならない限り通信確立状態には移行しない為、携帯端末に対し無駄な発呼を繰返すことがなく、ＪＡＴＥ条文１８条の発信規制を遵守しながら効率の良い自動再接続処理を行うことができる。
【００１４】
請求項２記載の発明では、状態取得手段が、コンピュータが回線接続手段により移動無線機にオフフックによる発呼を行い、発呼により行われる移動無線機から公衆回線網の局への無線状態報告の内容をコンピュータで取得し、回線状態が良好な場合には、回線に接続して呼設定信号が相手側に送られるように回線切断信号を送らないようにする。回線状態が悪い場合には、呼設定信号が相手側に送られないように回線切断信号を送るようにし、公衆回線網の局から移動無線機への呼出が発生する前に回線切断処理を行うため、不完了呼が発生しない。このため、不完了呼が多数残るために起こる輻輳が発生しない。また、移動無線機に着信音の鳴動を発生させない。よって、迷惑や負担をかけることがなく、輻輳を発生させることなく相手側との回線状態を把握して回線への接続・非接続ができ、コンピュータと回線接続手段により特別な機器を必要とせずに効率の良い自動再接続処理を行うことができる。
【００１５】
請求項３記載の発明では、移動無線機が車載機に接続又は内蔵されるものであり、コンピュータが車両への通信を使用してサービスを行うテレマティクスシステムを構成するものであるため、効率よく自動再接続を行ってテレマティクスシステムの利用者が望んだ時にリアルタイムに近いようにサービスを提供できる。
【００１６】
【発明の実施の形態】
以下、本発明の回線自動再接続を行うサーバシステム装置を実現する実施の形態を、請求項１，２，３に係る発明に対応する実施例に基づいて説明する。
【００１７】
（第１実施例）
【００１８】
まず、構成を説明する。
図１は実施例の回線自動再接続を行うサーバシステム装置を使用したネットワークシステムの構成を示す図である。図２は実施例の回線自動再接続を行うサーバシステム装置のコンピュータと通信端末の通信に関する部分のブロック図である。図３は実施例の回線自動再接続を行うサーバシステム装置で行われる処理の流れを示すフローチャート図である。図４は実施例の回線自動再接続を行うサーバシステム装置で行われる回線処理の手順を示すシーケンスフロー図である。図１，２における主要符号を説明すると、１は携帯電話機（移動無線機）、２は携帯電話側基地局、３は交換・制御局（公衆回線網の局）、４はサーバ側基地局、５は公衆回線網、６はサーバ通信端末（回線接続手段）、６１は送受信回路、６２は制御回路、６３，６４はバッファ、７はサーバ（コンピュータ）７１，７２はバッファ、７３は送信データ、７４は受信データ、８はＲＳ−２３２Ｃポート、９は車載機である。
【００１９】
本実施例では、携帯電話機１は車載装置に接続もしくは車載機９に内蔵されることにより、車の搭乗者に通信により様々なサービスを行うテレマティクスシステムに用いられた回線自動再接続を行うサーバシステム装置の例である。
【００２０】
図１に示すように、本実施例の回線自動再接続を行うサーバシステム装置はサーバ７とサーバ７にＲＳ−２３２Ｃポート８で接続したサーバ通信端末６で構成される。ＲＳ−２３２Ｃポート８では、図２に示すようにサーバ通信端末６のバッファ６３，６４とサーバ７のバッファ７１，７２でＲＳ／ＣＳフロー制御を行うことによりサーバ通信端末６で送受信するデータがパンクすることがないよう制御される。サーバ通信端末６には、回線に接続するための送受信回路６１と送受信回路６１やバッファ６３，６４を制御する制御回路６２が設けられる。
一方、サーバ７には、図示しないＣＰＵと記憶部が備えられており、相手側となる車両の携帯電話番号が保存されている。
【００２１】
回線自動再接続を行うサーバシステム装置のサーバ７はサーバ通信端末６によって公衆回線網５を介して車両の携帯電話機１と通信される。公衆回線網５は携帯電話側基地局２、サーバ側基地局４、交換・制御局３を有するものであり、サーバ７と携帯電話機１の通信を交換・制御局３が携帯電話側基地局２、サーバ側基地局４により取り持つものである。
【００２２】
このように構成されるネットワークシステムは、車載機９から要求のあった各種情報サービス等をサーバ７から提供することでテレマティクスシステムのポータルサイトの役目を担うようにしている。
【００２３】
次に、作用を説明する。
【００２４】
［サーバによる通信回線接続処理］
図３は実施例の回線自動再接続を行うサーバシステム装置のサーバ７で実行される処理の流れを示すフローチャートで、以下、各ステップについて説明する。
【００２５】
ステップＳ１では、回線がオンフック状態にあるものとする。
【００２６】
ステップＳ２では、相手側の携帯電話機１の電話番号を記憶部のデータより抽出して読み出す。
【００２７】
ステップＳ３では、サーバ７がサーバ通信端末６を制御してオフフック操作を行う。
【００２８】
ステップＳ４では、サーバ７がサーバ通信端末６を制御して公衆回線網５への発呼処理を行って、発呼処理に起因して行われる携帯電話機１から公衆回線網５側に送られる無線状態報告の内容メッセージを取得する。
【００２９】
ステップＳ５では、取得した無線状態報告からサーバ７と相手方の携帯電話機１との回線状態を判断し、回線状態が良好な場合にはステップＳ８に移行し、回線状態が悪い場合にはステップＳ７に移行する。
【００３０】
ステップＳ６では、サーバ７がサーバ通信端末６を制御してオフフック操作を行う。
【００３１】
ステップＳ７では、サーバ７がサーバ通信端末６を制御して公衆回線網５への回線切断信号を発信して回線切断処理を行う。
【００３２】
ステップＳ８では、呼設定信号が公衆回線網５の側から携帯電話機１に送信される。
【００３３】
ステップＳ９では、呼設定信号に対する携帯電話機１からの応答信号が送信される。
【００３４】
ステップＳ１０では、サーバ７と携帯電話機１が公衆回線網５を介して通信中となる。
【００３５】
ステップＳ１１では、携帯電話機１が内蔵または接続される車載機９からサーバ７へ欲しい情報サービスの内容がアップロードされる。
【００３６】
ステップＳ１２では、要求されたサービス内容をサーバ７の記憶部から読み出す。
【００３７】
ステップＳ１３では、サーバ７から車載機９に画面表示を用いた情報サービスが提供される。
【００３８】
［回線状況の把握による回線切断及び回線接続作用］
▲１▼回線状態が悪い場合
図４は実施例の回線自動再接続を行うサーバシステム装置のサーバ７で実行される処理の手順を示すシーケンスフロー図であり、図４の上側には、回線状態が悪い場合の手順が示される。
本実施例のテレマティクスシステムでは、図４に示すように、車載機９に接続または内蔵された携帯電話機１が公衆回線網５を介してサーバ７と通信されることで各種のサービスを受けることができる。この状態はオンフックの状態で行われる（１０１）。オンフックの状態の後では、携帯電話機１と公衆回線網５の側との間で無線状態報告が行われ、お互いにその状態が把握される。
【００３９】
次に、ステップＳ３，Ｓ４に示すように、サーバ７のサーバ通信端末６からオフフック後にダイヤルが行われる（１０３）と、公衆回線網５の側に呼設定信号と発信状態報告が行われ（１０４）、公衆回線網５の側から携帯電話機１に呼び出し信号が送信され（１０５）、サーバ７には呼設定を受け付けたことを示す信号が返信される（１０６）。
【００４０】
呼び出し信号を受けた携帯電話機１は公衆回線網５の側に着信無線状態を報告する信号を送信し（１０７）、着信状態は公衆回線網５の側からサーバ７に送信される（１０８）。
【００４１】
この状態報告の内容によって、公衆回線網５を介して行われるサーバ７と携帯電話機１の通信が、ビジー状態、無応答、輻輳、圏外等の正規な通信を妨げる状態にあると判断がサーバ７で行える。
【００４２】
回線状態が悪いと判断されたならば、認証手続が行われ（１０９）、認証が終了したため、回線接続を行うように要求する信号がサーバ７に返され（１１０）、回線接続要求信号により、オンフックの状態になり（１１１）無線チャネル信号が公衆回線網５の側からサーバ７、携帯電話機１に送られチャネル設定がされた（１１２，１１３）後に、すぐに回線切断信号を送信する（１１４）。このため、公衆回線網５の側から携帯電話機１に呼設定（Ａ）がされないため、着信音が鳴動することがなく、不完了呼が発生しない。そのため、輻輳を引き起こさない。回線切断信号を受信した公衆回線の側では、解放信号をサーバ７に送り（１１５）、サーバ７はこの接続から解放される。サーバ７は解放されたことを示す解放完了信号を公衆回線の側に送信し（１１６）、公衆回線の側から携帯電話機１に無線チャネル切断信号を送信する（１１７）。
無線チャネル切断信号を受け取った携帯電話機１ではその無線チャネルを放棄し、回線の切断を行って、無線チャネル切断確認信号を公衆回線の側に送信し（１１８）、サーバ７にはその理由を示す信号が送られる（１１９）。
【００４３】
▲２▼回線状態が良好、または回線状態が良好な状態に回復した場合
図４の下側には、回線状態が良好な場合、及び回線を切断後良好な状態に回復した場合の手順が示される。
オンフックの状態（１２１）の後、携帯電話機１と公衆回線網５の側との間で無線状態報告（１２２）が行われ、▲１▼と同様に、ステップＳ３，Ｓ４に示すように、サーバ７のサーバ通信端末６からオフフック後にダイヤルが行われる（１２３）と、公衆回線網５の側に呼設定信号と発信状態報告が行われ（１２４）、公衆回線網５の側から携帯電話機１に呼び出し信号が送信され（１２５）、サーバ７には呼設定を受け付けたことを示す信号が返信される（１２６）。
【００４４】
呼び出し信号を受けた携帯電話機１は公衆回線網５の側に着信無線状態を報告する信号を送信し（１２７）、着信状態は公衆回線網５の側からサーバ７に送信される（１２８）。
【００４５】
この状態報告の内容によって、回線状態が良好と判断されたならば、認証手続が行われ（１２９）、認証が終了したため回線接続を行うように要求する信号がサーバ７に返され（１３０）、回線接続要求信号により、オンフックの状態になり無線チャネル信号が公衆回線網５の側からサーバ７、携帯電話機１に送られチャネル設定がされる（１３１，１３２）。
【００４６】
無線チャネルが確立されると、公衆回線網５の側からサーバ７に呼び出し信号が送られ（１３３）、携帯電話機１に呼設定信号が送られる（１３４）。これにより、携帯電話機１から車載機９に着信信号が送られ（１３５）、車載機９で着信音が鳴る。
【００４７】
一方、携帯電話機１から公衆回線網５の側には呼設定に対する応答信号が送信され（１３６）、公衆回線網５の側からサーバ７には呼設定がされたことを示す信号が送られる（１３７）。
【００４８】
次に、着信音に対して、車載機９による応答があると（１３８）、携帯電話機１から公衆回線網５の側に応答信号が送られ（１３９）、サーバ７に応答報告を示す信号が送られる（１４０）。これに対し、サーバ７からは報告確認信号が公衆回線網５の側に送られ（１４１）、公衆回線網５の側から携帯電話機１に応答報告信号が送られて（１４２）、通信回線が確立されて通信される（１４３）。
【００４９】
［利便性のよいテレマティクスシステムによる情報提供作用］
本実施例のテレマティクスシステムは公衆回線網５の交換・制御局３を介在して無線通信を行っている為、公衆回線網５の状態により正規通信を妨げる状態に陥る場合がある。これらの状態は、ステップＳ５で判断されてステップＳ６，Ｓ７で図４の１１４〜１１９の処理により回避される。その後、サーバ７により自動再接続される。この際には、公衆回線網５の側から携帯電話機１に呼設定（Ａ）がされる前に切断処理が為されるので、ＪＡＴＥ条文１８条の２回／３分以内という発信規制に抵触しない為、網側の状態が改善されると速やかに自動再接続が出来る。よって、各種情報サービスを利用者が望んだ時にリアルタイムに近い形でサーバ７がサービスを提供出来ることとなる。
【００５０】
また、無駄な発呼動作を避けることは、機器の故障等の防止、省電力の面からも望ましい。
【００５１】
次に、効果を説明する。
【００５２】
実施例の回線自動再接続を行うサーバシステム装置にあっては、下記に列挙する効果を得ることができる。
【００５３】
（１）サーバ７をサーバ通信端末６によって公衆回線網５に接続し、通信により相手側となる携帯電話機１に情報サービスを行うサーバシステム装置において、携帯電話機１と公衆回線網５の側との間の無線状態通信の内容を取得するために、図４に示す手順で通信をサーバ７がサーバ通信端末６を制御して行うようにし、不完了呼を発生させずに取得した無線状態情報から相手側の携帯電話機１の状況を確認して、回線状態が良好な場合には接続させるようにし、回線状態が悪い場合には不完了呼を発生させずに回線を切断し、状況改善後に再接続するため、網側からのメッセージ内容を把握しながら自動再接続処理を行うことで、発信規制を回避しながら、回線状態の良い時に接続処理ができ、利用者の違和感を低減することができる。更に、監視中は公衆回線網５の側から車載機９に呼設定を投げることは無いので、無駄な発呼を繰返す従来例に比べ、通信費用の削減にも効果がある。
【００５４】
（２）状態取得手段が、サーバ７がサーバ通信端末６により携帯電話機１にオフフックによる発呼を行い、発呼により行われる携帯電話機１から公衆回線網５の局への無線状態報告の内容をサーバ７で取得し、公衆回線網５の局から携帯電話機１への呼出が発生する前に回線切断処理を行うものであり、回線状態が悪い場合には、呼設定信号が相手側に送られないように回線切断信号を送るようにし、回線状態が良好な場合には、回線に接続して呼設定信号が相手側に送られるように回線切断信号を送らないようにしたため、迷惑や負担をかけることがなく、輻輳を発生させることなく相手側との回線状態を把握して回線への接続・非接続ができ、コンピュータと回線接続手段により特別な機器を必要とせずに効率の良い自動再接続処理を行うことができる。
【００５５】
（３）携帯電話機１が車載機９に接続又は内蔵されるものであり、コンピュータが車両への通信を使用してサービスを行うテレマティクスシステムを構成するものであるため、テレマティクスシステムの利用者が望んだ時にリアルタイムに近いようにサービスを提供できる。
【００５６】
以上、本発明の回線自動再接続を行うサーバシステム装置を実施例に基づき説明してきたが、具体的な構成については、これらの実施例に限られるものではなく、特許請求の範囲の各請求項に係る発明の要旨を逸脱しない限り、設計の変更や追加等は許容される。
【００５７】
例えば、実施例では、回線自動再接続を行うサーバシステム装置は車載する携帯電話機１に用いていたが、車載しない携帯電話機１に用いてもよく、家庭で使用されている固定電話に応用してもよい。
【００５８】
サーバ通信端末６はサーバ７に内蔵されても、外部接続されていてもかまわない。
【図面の簡単な説明】
【図１】実施例の回線自動再接続を行うサーバシステム装置を使用したネットワークシステムの構成を示す図である。
【図２】実施例の回線自動再接続を行うサーバシステム装置のコンピュータと通信端末の通信に関する部分のブロック図である。
【図３】実施例の回線自動再接続を行うサーバシステム装置で行われる処理の流れを示すフローチャート図である。
【図４】実施例の回線自動再接続を行うサーバシステム装置で行われる回線処理の手順を示すシーケンスフロー図である。
【符号の説明】
１  携帯電話機
２  携帯電話側基地局
３  交換・制御局
４  サーバ側基地局
５  公衆回線網
６  サーバ通信端末
６１  送受信回路
６２  制御回路
６３  バッファ
６４  バッファ
７  サーバ
７１  バッファ
７２  バッファ
７３  送信データ
７４  受信データ
８  ＲＳ−２３２Ｃポート
９  車載機
【図１】
2004266666.tif 000003
【図２】
2004266666.tif 000004
【図３】
2004266666.tif 000005
【図４】
2004266666.tif 000006